(57)【特許請求の範囲】
【請求項１】
容器本体（１）は合成樹脂製にて略枡状に形成され、周壁（１ａ）と底壁（１ｂ）とによって上向きに広口となる収容部（１０）を設け、周壁（１ａ）は上端部外周囲に、周壁（１ａ）の上端より外側に突出する横壁（２ａ）と、横壁（２ａ）の先から下降する垂下壁（２ｂ）とから成る鍔部（２）を設け、鍔部（２）は四隅に横壁（２ａ）より一段低い吊具取付部（３）を設け、該取付部（３）に吊り金具（９）を取付け、底壁（１ｂ）はフォークリフトの腕挿入部（４）を前後方向と左右方向との何れか一方向に貫通し、腕挿入部（４）は底壁（１ｂ）より上側に食い込み下向きに開口する下向溝（４ａ）と、下向溝（４ａ）の開口側端部を塞ぐ口端板（１４）とから形成され、フォークリフト腕部による容器本体（１）の上下反転を可能にしていることを特徴とする搬送容器。
【請求項２】
容器本体（１）は合成樹脂製の内体（１１）と外体（１２）の隙間に充填材（１３）を充填した二重壁構造を成し、二重壁構造を成す周壁（１１ａ，１２ａ）と底壁（１１ｂ，１２ｂ）とによって上向きに開口する収容部（１０）を備え、内体（１１）は周壁（１１ａ）の上端部外周囲に、周壁（１１ａ）の上端より外側に突出する横壁（２ａ）と、横壁（２ａ）の先から下降する垂下壁（２ｂ）とから成る鍔部（２）を設け、鍔部（２）の四隅に横壁（２ａ）より一段低い吊具取付部（３）を設け、該取付部（３）に吊り金具（９）を取付け、底壁（１１ｂ）を略平面に形成し、外体（１２）は周壁（１２ａ）の上側に、鍔部（２）の内面側に当接するリブ（１２ｃ）を設け、底壁（１２ｂ）に上側に食い込み下向きに開口する下向溝（４ａ）を備え、該下向溝（４ａ）の開口側端部を口端板（１４）にて塞ぎ、フォークリフトの腕挿入部（４）を形成し、フォークリフト腕部による容器本体（１）の上下反転を可能にしていることを特長とする搬送容器。
【請求項３】
容器本体（１）に対する合成樹脂製の蓋体（５）を備え、蓋体（５）は収容部（１０）の開口部の略半分を塞ぐ第一蓋体（６）と、残り半分を塞ぐ第二蓋体（７）とから構成され、第一蓋体（６）は第一屋根部（６ａ）の第二蓋体（７）側に、第二蓋体（７）に対する連接部（２６）を形成し、第二蓋体（７）は第二屋根部（７ａ）の第一蓋体（６）側に、連接部（２６）に対する被連接部（２７）を形成し、被連接部（２７）は屋根部幅より左右に僅かに突出し、屋根部幅の中央部より左右に向けて下降傾斜している雨樋部（８）を設け、連接部（２６）は被連接部（２７）より更に左右に突出し、雨樋部（８）内に向けて垂下する水切り壁（１８）を設け、連接部（２６）と被連接部（２７）とを蝶板（３０）にて回動可能に連結し、第一屋根部（６ａ）と第二屋根部（７ａ）とが連結側より非連結側に向けて下降傾斜していることを特徴とする請求項１または２に記載の搬送容器。
【請求項４】
連続部（２６）は両端に水切り壁（１８）まで達する側壁（６ｃ）を設け、被連接部（２７）は両端に連接部側壁（６ｃ）の内側に位置する側壁（７ｃ）を設け、第一蓋体（６）と第二蓋体（７）との隅部に吊り金具（９）との当接を避ける切欠部（１６，１７）を各々設けていることを特徴とする請求項３に記載の搬送容器。
【発明の詳細な説明】
【０００１】
【発明の属する技術分野】
この本発明は、部品、商品、産業廃棄物等の収納・収集・運搬等に使用する搬送容器に関する。
【０００２】
【従来の技術】
工場や建設現場、その他で排出される産業廃棄物等を収納する搬送容器は、金属で枡状に形成され、上部に吊り金具を備えている。この搬送容器を廃棄物処理場まで搬送する場合、先ず、産業廃棄物等を収納した搬送容器を、トラックに設けたクレーンで吊上げ、荷台上に載置するか、荷台パットの上に一旦移し変え、荷台パットと共にフォークリフトで荷台上に載置し、焼却場や埋立て地等の処分場まで運び、処分場において載置時と反対にトラックからた搬送容器を降ろし、内容物を排出するか、吊上げ装置で荷台から処分場に吊上げ、本体の底部を開放して内容物を排出していた。
【０００３】
【発明が解決しようとする課題】
クレーンによる吊上げ吊降ろしに手数がかかり、特に風の強い日には吊上げた本体が揺れ、トラックや器物に触れたり、或いは作業員に触れる等の危険があった。
そこでこの発明は、従来技術の有するこのような問題点に鑑みてなされたものであり、その目的とするところは、フォークリフトによる上下反転と、レッカーによる吊上げ吊下ろしを可能にした搬送容器を提供することにある。
【０００４】
【課題を解決するための手段】
上記目的を達成するために、本発明の搬送容器は、請求項１として、容器本体は合成樹脂製にて略枡状に形成され、周壁と底壁とによって上向きに広口となる収容部を設け、周壁は上端部外周囲に、周壁の上端より外側に突出する横壁と、横壁の先から下降する垂下壁とから成る鍔部を設け、鍔部は四隅に横壁より一段低い吊具取付部を設け、該取付部に吊り金具を取付け、底壁はフォークリフトの腕挿入部を前後方向と左右方向との何れか一方向に貫通し、腕挿入部は底壁より上側に食い込み下向きに開口する下向溝と、下向溝の開口側端部を塞ぐ口端板とから形成され、フォークリフト腕部による容器本体の上下反転を可能にしていることを特徴とする。
請求項２として、容器本体は合成樹脂製の内体と外体の隙間に充填材を充填した二重壁構造を成し、二重壁構造を成す周壁と底壁とによって上向きに開口する収容部を備え、内体は周壁の上端部外周囲に、周壁の上端より外側に突出する横壁と、横壁の先から下降する垂下壁とから成る鍔部を設け、鍔部の四隅に横壁より一段低い吊具取付部を設け、該取付部に吊り金具を取付け、底壁を略平面に形成し、外体は周壁の上側に、鍔部の内面側に当接するリブを設け、底壁に上側に食い込み下向きに開口する下向溝を備え、該下向溝の開口側端部を口端板にて塞ぎ、フォークリフトの腕挿入部を形成し、フォークリフト腕部による容器本体の上下反転を可能にしていることを特長とする。
【０００５】
ここで容器本体とは、廃棄物を上側から出し入れし得る枡状のものを言い、周壁を上向きに広口となるように傾斜することにより、出し入れが滑らかとなる。
ここで鍔部とは、周壁の上端部を補強するもので、例えば周壁上端部より外側に向けて延長する横壁、又は横壁と、横壁の外側縁から下降する垂下壁を有するものを言う。
ここで吊具取付部とは、鍔部横壁の内周側を残して他を一段低く形成した部位で、容器本体内に廃棄物を入れた状態で吊上げ可能となる耐久力を有する部位を言い、吊り金具とは、ワイヤの結束やフックの掛止等を可能にする頭部と、吊具取付部に固定する固定部とを備えるものを言う。
ここで腕挿入部とは、フォークリフトの腕の出し入れが自在で、腕の挿入状態で容器本体を上昇し、上昇地点で１８０度回転し得る構造を言い、上下の反転とは、容器本体の上下を逆転し、容器本体に収納した収納物を排出することを言う。
【０００６】
請求項３として、請求項１，２の搬送容器において、容器本体に対する合成樹脂製の蓋体を備え、蓋体は収容部の開口部の略半分を塞ぐ第一蓋体と、残り半分を塞ぐ第二蓋体とから構成され、第一蓋体は第一屋根部の第二蓋体側に、第二蓋体に対する連接部を形成し、第二蓋体は第二屋根部の第一蓋体側に、連接部に対する被連接部を形成し、被連接部は屋根部幅より左右に僅かに突出し、屋根部幅の中央部より左右に向けて下降傾斜している雨樋部を設け、連接部は被連接部より更に左右に突出し、雨樋部内に向けて垂下する水切り壁を設け、連接部と被連接部とを蝶板にて回動可能に連結し、第一屋根部と第二屋根部とが連結側より非連結側に向けて下降傾斜していることを特徴とする。
請求項４として、請求項３の搬送容器において、連続部は両端に水切り壁まで達する側壁を設け、被連接部は両端に連接部側壁の内側に位置する側壁を設け、第一蓋体と第二蓋体との隅部に吊り金具との当接を避ける切欠部を各々設けていることを特徴とする。
【０００７】
ここで第一蓋体とは、容器本体の収容部の略半分を塞ぐもので、容器本体に対して着脱可能であり、通常容器本体と係止状態にあるものを言い、第二蓋体とは、容器本体の収容部の略半分を塞ぐもので、容器本体に対して開閉自在であり、閉鎖時に容器本体と係止状態にあるものを言う。
ここで雨樋部と水切り壁とは、第一蓋体と第二蓋体との連接部の隙間から侵入した雨水を外部に排水するものを言い、連続側に沿って設けられ、雨樋部が中央部より左右に下降傾斜している。
ここで連接部と被連接部とは、雨樋部や水切り壁の連続側に沿って設けられ、平行状態にあり、蝶番で回動自在に連結するものを言う。
【０００８】
【発明の実施の形態】
本発明による搬送容器の第一実施形態を図１乃至図４に基づき説明すれば、容器本体１は周壁１ａと底壁１ｂとによって上向きに開口する収容部１０を備え、全体が略枡状を成し、周壁１ａの上端部外周側に鍔部２を、底壁１ｂにフォークリフトの腕挿入部４を備え、鍔部２は四隅に吊具取付部３を一段低く設け、該取付部３に吊り金具９を取付け、腕挿入部４は底壁１ｂより上側に食い込み下向きに開口する下向溝４ａと、その開口側端部を塞ぐ口端板１４とから形成され、容器本体１の前後方向に貫通し、フォークリフト腕部による容器本体１の上下反転を可能にしている。
【０００９】
本発明による搬送容器の第二実施形態を、第一実施形態と相違する点について説明すれば、図７の如く腕挿入部４を、底壁１ｂより下側に突出し上向きに開口する上向溝４ｂと、その開口側端部を塞ぐ口端板１４とから形成するもので、具体的には、上向溝４ｂの上端部左右に口端板１４の板厚に応じた段部４ｃを各々設け、該段部４ｃ間に口端板１４を跨って載置固定し、口端板１４と底壁１ｂとを面一に、且つ上向溝４ｂを完全に塞ぐように設けている。
【００１０】
本発明による搬送容器の第三実施形態を、第一実施形態と相違する点について説明すれば、図８の如く腕挿入部４を別個に形成した二体の角筒体２４から形成するもので、具体的には、角筒体２４の一面を底壁１ｂの下面に当接し、容器本体１の前後方向に固着、又は固定して一体化したものである。角筒体２４の代わりに、角筒部４ｄの一方側に脚部４ｅを備えた腕挿入体４４を形成し、これを容器本体１の底面に固定することも可能である。
【００１１】
本発明による搬送容器の第四実施形態を、第三実施形態と相違する点について説明すれば、図９の如く腕挿入部４を別個に形成した二体のリップ溝型体３４にて形成するもので、リップ溝型体３４は角溝部と、角溝部の上端から左右に突出する当接部とから成り、このリップ溝型体３４の当接部を底壁１ｂの下面に固着、又は固定して一体化したものである。リップ溝型体３４の代わりに、溝型部４ｆの一方側に脚部４ｅを備えた腕挿入体４４を形成し、これを容器本体１の底面に固定することも可能である。
【００１２】
本発明による搬送容器の第五実施形態を、第一乃至第四実施形態と相違する点について説明すれば、図１０の如く容器本体１を内体１１と外体１２とから成る二重壁構造とし、内体１１と外体１２との隙間に充填材１３を介在するものであり、内体１１は周壁１１ａの上側に鍔部２を、下側に略平面な底壁１１ｂを設け、外体１２は内体１１より一回り大きい周壁１２ａの上側に、鍔部２の内面側に当接するリブ１２ｃを設け、外体底壁１２ｂに第一実施形態と同様の上側に食い込み下向きに開口する下向溝４ａを形成し、該下向溝４ａの開口側に口端板１４を取付け、腕挿入部４を形成するものである。
【００１３】
本発明による搬送容器の第六実施形態を、第五実施形態と相違する点について説明すれば、図１１の如く二重壁構造を構成する容器本体１の内体１１は、内体周壁１１ａの上側に鍔部２を、下側に略平面な底壁１１ｂを設け、外体１２は内体１１より一回り大きい周壁１２ａの上側に、鍔部２の内面側に当接するリブ１２ｃを設け、外体底壁１２ｂに第二実施形態と同様の下側に突出し上向き開口する上向溝４ｂを形成し、該下向溝４ａの開口側を内体底壁１１ｂにて塞ぎ、腕挿入部４を形成するものである。
【００１４】
本発明による搬送容器の第七実施形態を、第一乃至第六実施形態と相違する点について説明すれば、図１２と図１３の如く容器本体１に対する蓋体５を備えるもので、蓋体５は収容部１０を塞ぐ屋根部５ａと、鍔部２に対する鍔覆部５ｂとを備え、鍔覆部５ｂの四隅に吊り金具９との当接を避ける切欠部１５を設け、屋根部５ａは中央部が高くなりように上向きに膨れ、雨水の排水を容易にしている。蓋体５は容器本体１に対して嵌脱式に設ける場合、鍔部２に図６の如く係止部２１を、鍔覆部５ｂに係止部２１と係止する被係止部３５を設け、容器本体１に対して開閉式に設ける場合、蓋体５と容器本体１との一方側を回転自在に連結し、指掛部４５を把持して蓋体５を嵌脱したり開閉する。
【００１５】
本発明による搬送容器の第八実施形態を、第七実施形態と相違する点について説明すれば、図１４乃至図１８の如く蓋体５を収容部１０の略半分を塞ぐ第一蓋体６と、残り半分を塞ぐ第二蓋体７とから構成し、第一蓋体６は第二蓋体７に対する連接部２６を、第二蓋体７は第一蓋体６に対する被連接部２７を備え、連接部２６と被連接部２７との少なく二箇所に金具取付部６ｅ，７ｅを相対設し、金具取付部６ｅ，７ｅ間に蝶板３０を跨って取付け、蝶板３０を中心にして相互に開閉回動可能となる。
【００１６】
第一蓋体６は図１５と図１６と図１９の如く、収容部１０の略半分を塞ぐ屋根部６ａの一方側に連接部２６を、残り三方に本体鍔部２に被さる鍔覆部６ｂを備え、屋根部６ａは連続部２６から他方側に下降傾斜し、連続部２６は屋根部幅より僅かに長く形成され、その第二蓋体７側に水切り壁１８を垂下し、水切り壁１８までの両端に側壁６ｃを設け、鍔覆部６ｂは二隅部に吊り金具９との当接を避ける切欠部１６を設けると共に、鍔部２の係止部２１に係止する被係止部３６を備えている。
第二蓋体７は図１７と図１８と図２１の如く、収容部１０の残り半分を塞ぐ屋根部７ａの一方側に、連接部２６に対応する被連接部２７と、上向きに開口する雨樋部８とを平行に設け、残り三方に本体鍔部２に被さる鍔覆部７ｂを備え、屋根部７ａは被連続部２７から他方側に下降傾斜し、被連接部２７と雨樋部８は屋根部幅より長く且つ連接部２６より僅かに短く形成され、その両端に連接部側壁６ｃの内側に位置する側壁７ｃを設け、鍔覆部７ｂは二隅部に吊り金具９との当接を避ける切欠部１７を設けると共に、鍔部２の係止部２１と係止する被係止部３７を備えている。
【００１７】
第一実施形態乃至第六実施形態の本発明搬送容器は上記構造であるから、これを用いて産業廃棄物を回収する場合、トラックへの積載効率を考慮すれば、回収地点で廃棄物のみを回収して容器本体１をその場に戻す方法が効果的であり、その場合、フォークリフトの腕部を腕挿入部４に入れ、容器本体１をトラックの荷台より高く持ち上げ、荷台まで前進した後、腕部を１８０度回転して容器本体１の上下を反転し、容器本体１からトラックの荷台に廃棄物を排出する。空になった容器本体１を、廃棄物の排出時と逆コースで元の位置に戻すことにより、トラックへの積み込みが終了する。液体廃棄物、又は液体を含む廃棄物の回収には、タンク等を備えた特殊トラックを必要とする。
【００１８】
本発明搬送容器による廃棄物の他の回収方法として、容器本体１ごと回収する方法、即ち、廃棄物を収納した容器本体１をトラックのクレーンで吊上げ、これをトラックの荷台に積載し、廃棄物の処理場まで輸送した後、荷台に積載した容器本体１をトラックのクレーンで吊上げ、処理場に降ろす。空になった容器本体１を、再びクレーンでトラック荷台に搭載して回収場所又は保管場所へ移動する。トラック荷台への容器本体１の積み下ろしは、フォークリフトにても行うことが可能である。該手段では、クレーンを備えた一般トラックが利用できる。
【００１９】
第七実施形態の本発明搬送容器にあっては、容器本体１の収容部１０に廃棄物を入れたり、或は反対に廃棄物の処理場で、容器本体１から廃棄物を出したりする場合、蓋体５を適宜の間、取外しておくか、その都度、嵌脱する。第八実施形態の本発明搬送容器にあっては、第一蓋体６か第二蓋体７の何れか一方を固定し、他方を図２３の如く開閉して収容部１０に廃棄物を入れる。容器本体１に入れた廃棄物は、蓋体５にて塞がれているので、屋外で使用しても雨水や飛来物が入ることもないし、異臭の拡散も防ぎ得るばかりか、風等によって収容物が散乱することもない。
【００２０】
【実施例】
第三実施形態乃至第六実施形態の搬送容器にあっては、底壁１ｂを略平面的に形成したり、中央部に向けて僅かな流れ勾配を有するように形成し得るので、内容物の排出を容易にしたり、底壁１ｂ中央部から排水し得るようにすることも可能となる。容器本体１の周壁１ａに、図５（イ）（ロ）の如く上端から下端に至る縦補強部１ｄを、各蓋体５，６，７の屋根部５ａ，６ａ，７ａに図１３と図１４の如く流れ方向の補強部５ｄ，６ｄ，７ｄを設けると耐久力が向上する。又、容器本体１の収容部１０を上向きに広口となるように形成すれば、収容物の出し入れが滑らかとなるし、同じ容器本体１を上下方向に積み重ねて保管したり輸送し得る。
【００２１】
鍔部２は、例えば周壁１ａに連続する横壁２ａの外側に垂下壁２ｂを有する。吊具取付部３は、鍔部横壁２ａの内周側を残して他を一段低く形成し、吊り金具９の取付時において突出を抑え、同じ容器本体１の積み重ねを容易にする。
吊り金具９は、図２（ロ）の如く螺子部９ａの上側にワイヤの結束やフックの掛止等を可能にする頭部９ｂを備え、螺子部９ａを吊具取付部３とその上下に重ねた補強板９ｄとの貫通孔に挿通し、ナット９ｃにて固定する。
【００２２】
第一蓋体６の連接部２６と第二蓋体７の被連接部２７とに、図２０の如く蝶板３０の板厚に応じた段部を相対設し、段部に蝶板３０を取付けることが望ましい。連接部２６に設けた水切り壁１８と雨樋部８の関係は、水切り壁１８が平時に雨樋部８内に向けて垂下しており、第一蓋体６の開閉回動時にも雨樋部８の範囲内にあるものであれば、長さや形状は自由であるし、水切り壁１８を第一蓋体６に、雨樋部８を第二蓋体７に設けても同様の目的を達成し得る。雨樋部８を中央部から左右に下降傾斜しておけば、排水が容易になるし、第一蓋体鍔覆部６ｂと第二蓋体鍔覆部７ｂと雨樋部８に、鍔部２の上面に当接するクッションを取付けることが望ましい。本体周壁１ａの下側に脚取付部２２を適宜設けておけば、該脚取付部２２に補助脚部１９やキャスターを必要に応じて取付けることができるし、周壁１ａの四隅、及び周壁１ａと底壁１ｂとの接続部を円弧に形成すれば、収納物を残すことなく排出できる。容器本体１と蓋体５、又は第一蓋体６と第二蓋体７を合成樹脂にて形成すれば、耐腐性が向上する。
【００２３】
【発明の効果】
本発明による搬送容器は上記構造のとおりであるから、次に記載する効果を奏する。
請求項１の搬送容器は、容器本体の周壁の上端部外周囲に鍔部を設け、鍔部の四隅に鍔部横壁より一段低い吊具取付部を設け、該取付部に吊り金具を取付けているので、トラックのクレーンで吊上げたり吊下ろすことができる。また、底壁にフォークリフトの腕挿入部を備えているので、容器本体を移動する際、荷台パットを用いずに、腕挿入部にフォークリフトの腕部を直接挿入し、容器本体を昇降したり、上下反転して内容物を排出することができる。その結果、産業廃棄物の回収コストを低減できる。
請求項２の搬送容器は、請求項１の搬送容器と同様の効果を有する以外に、容器本体を二重壁構造に形成している。しかも内体底壁を略平面に形成しているので、収容物の排出を容易にし得る。
【００２４】
請求項３の搬送容器は、請求項１，２の特長に加えて、蓋体にて収容部を塞ぐことができるので、野外での使用に適する。また、蓋体を第一蓋体と第二蓋体とから構成しているので、その一方を開閉して収容部に商品や廃棄物等を簡単に投入し得る。しかも第一蓋体と第二蓋体の連結側の一方に雨樋部を設け、他方に雨樋部内に向けて垂下する水切り壁を設け、更に連接部と被連接部の長さが、屋根部幅＜被連接部＜連接部の関係にあるので、収容部内への雨水の侵入を防止し得る。
請求項４の搬送容器は、請求項３の特長に加えて、連続部の両端に側壁を、被連接部の両端に側壁を備えているので、収容部内への雨水の侵入を防止し得る。
【図面の簡単な説明】
【図１】（イ）（ロ）  本発明搬送容器の第一実施形態を示す平面図と、その縦断面図である。
【図２】（イ）（ロ）  第一実施形態の搬送容器の一部切欠側面図と、吊り金具の取付け例を示す拡大断面図である。
【図３】（イ）（ロ）（ハ）（ニ）  金具取付部付近の拡大平面図と、そのＨ−Ｈ断面図、Ｉ−Ｉ断面図、Ｊ−Ｊ断面図である。
【図４】（イ）（ロ）  鍔部付近と下向溝付近の拡大断面図である。
【図５】（イ）（ロ）（ハ）  Ｄ−Ｄ断面図、Ｅ−Ｅ断面図、Ｆ−Ｆ断面図である。
【図６】（イ）（ロ）（ハ）  手掛部付近の拡大正面図とその断面図である。
【図７】  本発明搬送容器の第二実施形態を示す一部切欠正面図である。
【図８】（イ）（ロ）（ハ）  本発明搬送容器の第三実施形態を示す一部切欠正面図と、腕挿入体の類例を示す正面図である。
【図９】（イ）（ロ）  本発明搬送容器の第四実施形態を示す一部切欠正面図と、腕挿入体の類例を示す正面図である。
【図１０】  本発明搬送容器の第五実施形態を示す一部切欠正面図である。
【図１１】  本発明搬送容器の第六実施形態を示す一部切欠正面図である。
【図１２】  本発明搬送容器の第七実施形態を示す一部切欠正面図である。
【図１３】  蓋体の斜視図である。
【図１４】  本発明搬送容器の第八実施形態における分割式蓋体の斜視図である。
【図１５】（イ）（ロ）（ハ）  第一蓋体の正面図と左右側面図である。
【図１６】（イ）（ロ）  その平面図と端面図である。
【図１７】（イ）（ロ）（ハ）  第二蓋体の正面図と左右側面図である。
【図１８】  削除
【図１９】（イ）（ロ）（ハ）（ニ）  蓋体のＮ−Ｎ端面図、Ｍ−Ｍ端面図、Ｏ−Ｏ端面図、Ｐ−Ｐ端面図である。
【図２０】（イ）（ロ）  蓋体の一部平面図とそのＵ−Ｕ端面図である。
【図２１】  雨樋部と連接部との関係を示す要部端面図である。
【図２２】（イ）（ロ）（ハ）  被係止部付近の正面図と、そのＲ−Ｒ端面図、Ｓ−Ｓ端面図である。
【図２３】  分割式蓋体の組立て状態からの開閉例を示す斜視図である。
【符号の説明】
１  容器本体、１１  内体、１２  外体、１０  収容部
１ａ，１１ａ，１２ａ  周壁、１ｂ，１１ｂ，１２ｂ  底壁、１２ｃ  リブ
１３  充填材
２   鍔部、２ａ  横壁、２ｂ  垂下壁
３  吊具取付部
４  腕挿入部、４ａ  下向溝、４ｂ  上向溝
１４  口端板
５  蓋体、６  第一蓋体、７  第二蓋体
５ａ，６ａ，７ａ  屋根部、５ｂ，６ｂ，７ｂ  覆部、６ｃ，７ｃ  側壁
１５，１６，１７  切欠部
２６  連接部、２７  被連接部
８  雨樋部、１８  水切り壁
９  吊り金具
３０  蝶板
【図１】
0004232076.tif 000002
【図２】
0004232076.tif 000003
【図３】
0004232076.tif 000004
【図４】
0004232076.tif 000005
【図５】
0004232076.tif 000006
【図６】
0004232076.tif 000007
【図７】
0004232076.tif 000008
【図８】
0004232076.tif 000009
【図９】
0004232076.tif 000010
【図１０】
0004232076.tif 000011
【図１１】
0004232076.tif 000012
【図１２】
0004232076.tif 000013
【図１３】
0004232076.tif 000014
【図１４】
0004232076.tif 000015
【図１５】
0004232076.tif 000016
【図１６】
0004232076.tif 000017
【図１７】
0004232076.tif 000018
【図１９】
0004232076.tif 000019
【図２０】
0004232076.tif 000020
【図２１】
0004232076.tif 000021
【図２２】
0004232076.tif 000022
【図２３】
0004232076.tif 000023